(57)【要約】【課題】  音質の高さを安定的に維持し、利便性を高める。【解決手段】  音を出力する音出力手段を２つ備えると共に、音を入力する音入力手段を３つ備え、対向する通信装置と音を示す音情報をやり取りする通信装置であって、対向通信装置から到来した受信音情報に対応した音を第１の音出力手段から出力することによってユーザに聴取させるときには、第１の音入力手段に入力された音を示す周囲音情報で、受信音情報を加工した上で、加工後の受信音情報に応じた音を第１の音出力手段から出力させる第１の音加工手段と、対向通信装置から到来した受信音情報に対応した音を第２の音出力手段から出力する場合のため、第１の音加工手段と同様な第２の音加工手段を備える。【選択図】  図１
2006129377.tif 000002
【特許請求の範囲】
【請求項１】
音を出力する音出力手段を２つ備えると共に、音を入力する音入力手段を３つ備え、対向する通信装置と音を示す音情報をやり取りする通信装置であって、
前記２つの音出力手段のうち第１の音出力手段は、ユーザの左の聴取器官に音を聴取させる位置に、第２の音出力手段は、前記ユーザの右の聴取器官に音を聴取させる位置に配置すると共に、
前記３つの音入力手段のうち、第１の音入力手段は、前記ユーザの左の聴取器官の近傍に、第２の音入力手段は、前記ユーザの右の聴取器官の近傍に、第３の音入力手段は、前記ユーザの発音器官の近傍に、それぞれ配置しておき、
前記対向通信装置から到来した受信音情報に対応した音を前記第１の音出力手段から出力することによってユーザに聴取させるときには、前記第１の音入力手段に入力された音を示す周辺音情報で、前記受信音情報を加工した上で、加工後の受信音情報に応じた音を第１の音出力手段から出力させる第１の音加工手段と、
前記対向通信装置から到来した受信音情報に対応した音を前記第２の音出力手段から出力することによってユーザに聴取させるときには、前記第２の音入力手段に入力された音を示す周辺音情報で、前記受信音情報を加工した上で、加工後の受信音情報に応じた音を第２の音出力手段から出力させる第２の音加工手段とを備えたことを特徴とする通信装置。
【請求項２】
音を出力する２つの音出力手段と、音を入力する３つの音入力手段を用い、対向する通信装置と音を示す音情報をやり取りする通信方法であって、
前記２つの音出力手段のうち第１の音出力手段は、ユーザの左の聴取器官に音を聴取させる位置に、第２の音出力手段は、前記ユーザの右の聴取器官に音を聴取させる位置に配置すると共に、
前記３つの音入力手段のうち、第１の音入力手段は、前記ユーザの左の聴取器官の近傍に、第２の音入力手段は、前記ユーザの右の聴取器官の近傍に、第３の音入力手段は、前記ユーザの発音器官の近傍に、それぞれ配置しておき、
前記対向通信装置から到来した受信音情報に対応した音を前記第１の音出力手段から出力することによってユーザに聴取させるときには、第１の音加工手段で前記第１の音入力手段に入力された音を示す周辺音情報をもとに、前記受信音情報を加工した上で、加工後の受信音情報に応じた音を第１の音出力手段から出力させ、
前記対向通信装置から到来した受信音情報に対応した音を前記第２の音出力手段から出力することによってユーザに聴取させるときには、第２の音加工手段で前記第２の音入力手段に入力された音を示す周辺音情報をもとに、前記受信音情報を加工した上で、加工後の受信音情報に応じた音を第２の音出力手段から出力させることを特徴とする通信方法。
【発明の詳細な説明】
【技術分野】
【０００１】
本発明は通信装置および方法に関し、例えば、携帯電話機でヘッドホン等を用いて音声通話を行う場合などに適用して好適なものである。
【背景技術】
【０００２】
ヘッドホンを利用した音声通話のための技術として、下記の特許文献１，２に記載されたものがある。
【０００３】
特許文献１では、送受話部にマイクとスピーカを２つずつ設け、スピーカは左右の耳の近傍に配置し、２つのマイクは口の近傍で左右に配置する構成を取り、電話通話をステレオ信号を用いて行うことで立体的音響効果による臨場感のある高品質な通話を実現している。
【０００４】
特許文献２では、ヘッドホンを使って左右のスピーカを聴取者の左右の耳の近傍に配置する構成を取り、音質に影響する振幅については、頭部伝達関数（ＨＲＴＦ）における平均値情報の振幅情報を用いてインパルス（ＨＲＴＦのＩＲ）応答をスケーリングしてフラットな振幅とすること等により、定位感を損なわずに、音質を改善することができる。
【特許文献１】特開平６−２６８７２２号公報
【特許文献２】特開平８−３３６１９８号公報
【発明の開示】
【発明が解決しようとする課題】
【０００５】
ところが、上述した特許文献１，２の技術では、周囲の雑音環境に対する配慮が欠けているため、臨場感や音質が周囲の雑音によって損なわれてしまったり、反対に、通話していないときにヘッドホンを装着したままでいる場合などには、周囲の雑音を聴取できたほうが良いこともあるが、特許文献１，２の技術ではそのような要望に対応することは難しい。すなわち、特許文献１，２の技術は、臨場感を含む音質の高さを安定的に維持することが難しく、利便性が低いといえる。
【課題を解決するための手段】
【０００６】
かかる課題を解決するために、第１の本発明では、音を出力する音出力手段を２つ備えると共に、音を入力する音入力手段を３つ備え、対向する通信装置と音を示す音情報をやり取りする通信装置であって、（１）前記２つの音出力手段のうち第１の音出力手段は、ユーザの左の聴取器官に音を聴取させる位置に、第２の音出力手段は、前記ユーザの右の聴取器官に音を聴取させる位置に配置すると共に、（２）前記３つの音入力手段のうち、第１の音入力手段は、前記ユーザの左の聴取器官の近傍に、第２の音入力手段は、前記ユーザの右の聴取器官の近傍に、第３の音入力手段は、前記ユーザの発音器官の近傍に、それぞれ配置しておき、（３）前記対向通信装置から到来した受信音情報に対応した音を前記第１の音出力手段から出力することによってユーザに聴取させるときには、前記第１の音入力手段に入力された音を示す周辺音情報で、前記受信音情報を加工した上で、加工後の受信音情報に応じた音を第１の音出力手段から出力させる第１の音加工手段と、（４）前記対向通信装置から到来した受信音情報に対応した音を前記第２の音出力手段から出力することによってユーザに聴取させるときには、前記第２の音入力手段に入力された音を示す周辺音情報で、前記受信音情報を加工した上で、加工後の受信音情報に応じた音を第２の音出力手段から出力させる第２の音加工手段とを備えたことを特徴とする。
【０００７】
また、第２の本発明では、音を出力する２つの音出力手段と、音を入力する３つの音入力手段を用い、対向する通信装置と音を示す音情報をやり取りする通信方法であって、（１）前記２つの音出力手段のうち第１の音出力手段は、ユーザの左の聴取器官に音を聴取させる位置に、第２の音出力手段は、前記ユーザの右の聴取器官に音を聴取させる位置に配置すると共に、（２）前記３つの音入力手段のうち、第１の音入力手段は、前記ユーザの左の聴取器官の近傍に、第２の音入力手段は、前記ユーザの右の聴取器官の近傍に、第３の音入力手段は、前記ユーザの発音器官の近傍に、それぞれ配置しておき、（３）前記対向通信装置から到来した受信音情報に対応した音を前記第１の音出力手段から出力することによってユーザに聴取させるときには、第１の音加工手段で前記第１の音入力手段に入力された音を示す周辺音情報をもとに、前記受信音情報を加工した上で、加工後の受信音情報に応じた音を第１の音出力手段から出力させ、（４）前記対向通信装置から到来した受信音情報に対応した音を前記第２の音出力手段から出力することによってユーザに聴取させるときには、第２の音加工手段で前記第２の音入力手段に入力された音を示す周辺音情報をもとに、前記受信音情報を加工した上で、加工後の受信音情報に応じた音を第２の音出力手段から出力させることを特徴とする。
【発明の効果】
【０００８】
本発明によれば、音質の高さを安定的に維持し、利便性を高めることができる。
【発明を実施するための最良の形態】
【０００９】
（Ａ）実施形態
以下、本発明にかかる通信装置および方法を、携帯電話機を用いた通話システムに適用した場合を例に、実施形態について説明する。
【００１０】
（Ａ−１）第１の実施形態の構成
本実施形態にかかる通話システム１０の全体構成例を図３に示す。
【００１１】
図３において、当該通話システム１０は、携帯電話機１１と、ヘッドホン１２とを備えている。
【００１２】
このうち携帯電話機１１は基本的に通常の携帯電話機であってよい。ただし、その内部には後述する立体音響回路３１（図２参照）が配置されている点などが通常の携帯電話機と相違する。
【００１３】
ヘッドホン１２は、連結部材（ヘッドバンド）１３の両端にイヤーパッド１４，１５を配置した構成を持つ点で通常のヘッドホンと同じであるが、イヤーパッドの内部にスピーカ２０（図１参照）だけでなくマイク２１も設けられている点などが通常のヘッドホンと相違する。イヤーパッド１４はこのヘッドホン１２を装着するユーザＵ１の右耳の近傍を覆う部材であり、イヤーパッド１５のほうは当該ユーザＵ１の左耳の近傍を覆う部材である。
【００１４】
前記携帯電話機１１の内部構成は例えば図２に示す通りでよい。この携帯電話機１１はユーザＵ１によって利用される。通常、利用時には、ユーザＵ１は前記ヘッドホン１１を頭部に装着すると共に、その手のひらで当該携帯電話機１１を把持する。
【００１５】
（Ａ−１−１）携帯電話機の内部構成例
図２において、当該携帯電話機１１は、携帯電話回路３０と、立体音響回路３１と、マイク３２とを備えている。
【００１６】
このうち携帯電話回路３０は、従来の通常の携帯電話機が音声通話のために備えている構成要素と基本的に同じものである。当該携帯電話回路３０は、受信した無線信号ＷＳ１に対して復調処理などの周知の処理を実行した結果として、ユーザＵ１の通話相手（図示せず）の音声を示す音声信号ｓｍを出力する。反対に、ユーザＵ１が発話した音声は、当該携帯電話機１１が備える前記マイク３２で集音し、変調処理などの周知の処理を実行した結果、無線信号ＷＳ２に収容されて送信される。
【００１７】
無線信号ＷＳ１とＷＳ２は直接的には当該携帯電話機１１が基地局とやり取りする信号であるが、周知のように、これらの信号を反映した情報は携帯電話ネットワークを介して通話相手の携帯電話機とやり取りされる。
【００１８】
立体音響回路３１は、前記音声信号ｓｍをもとに定位処理を行う回路である。この定位処理では、上述した頭部伝達関数（ＨＲＴＦ）を用いることができる。一般的に、定位処理の結果として得られる定位音声信号は右耳用と左耳用で異なるものとなるが、本実施形態では、ユーザＵ１の正面（例えば、前方１メートルの位置）から音が聞こえるように定位処理を実行するため、右耳用と左耳用の定位音声信号ｓ１，ｓ２は同じＨＲＴＦによって生成されるが、正面でない一般的なケースでは、周知のように正面からの角度により、ＨＲＴＦが異なるものとなり、個別のＨＲＴＦ処理が行われる。当該立体音響回路３１はその内部に図５に示すＨＲＴＦ部４１Ａ、４１Ｂを備えている。ＨＲＴＦ部４１Ａでは前記定位信号ｓ１を生成し、ＨＲＴＦ部４１Ｂでは前記定位信号ｓ２を生成する。
【００１９】
携帯電話回路３０から出力されるコントロール信号ｖは、ユーザＵ１と通話相手が通話状態にあるか否かを示す信号である。例えば、ｖ＝１（例えば、“１”はハイレベル）で通話状態、ｖ＝０（例えば、“０”はローレベル）でそれ以外（非通話状態）を示すものであってよい。
【００２０】
通話状態とは、携帯電話機１１と通話相手の端末とのあいだに呼が設定されている状態である。したがって、携帯電話回路３０が持つ呼制御に関する情報をもとに、容易に、当該コントロール信号ｖを生成することができる。
【００２１】
周知のように、通常、携帯電話機自体がスピーカ（図示せず）を搭載していて、ユーザＵ１が携帯電話機１１を右耳に当てて使用した場合、ユーザＵ１の右耳で、反対に、左耳に当てて使用した場合には左耳で通話相手の音声が聴取されるが、本実施形態では、ユーザＵ１はヘッドホン１２を用いて通話相手の発話した音声を聴取するため、携帯電話機１１のスピーカから出力される音声は不要である。したがって、携帯電話機１１にヘッドホン１２を接続したときには、携帯電話機１１のスピーカからの音声出力は行わないようにしてもかまわない。
【００２２】
なお、図３では、ヘッドホン１２と携帯電話機１１を有線伝送路で接続する構成としているが、近距離無線技術などを利用して無線伝送路で接続するようにしてもよいことは当然である。
【００２３】
図２に示す前記マイク３２は携帯電話機１１が搭載しているマイクである。本実施形態では、ユーザＵ１が発話した音声を通話相手に伝えるため、当該マイク３２によってユーザＵ１の音声を集音する必要がある。ユーザＵ１が発話した音声はマイク３２によって集音され、音声信号ｍとして携帯電話回路３０に供給される。
【００２４】
携帯電話機１１が通話相手の右耳に聴取させる音声と左耳に聴取させる音声を別個のマイクで集音できる場合には、当該マイク３２は２つ存在することになり、本発明ではそのような構成を取ることも可能であるが、一般の携帯電話機はそのような構成を持たないため、図２には、１つのマイク３２のみを図示している。
【００２５】
左耳用の前記イヤーパッド１５の内部構成は例えば図１に示す通りである。右耳用の前記イヤーパッド１４の内部構成もこれと同じであってよい。
【００２６】
（Ａ−１−２）イヤーパッドの内部構成例
図１において、当該イヤーパッド１５は、スピーカ２０と、マイク２１と、増幅減衰回路２２と、ミキシング回路２３とを備えている。
【００２７】
イヤーパッド１５本体の音響工学的性質は、その物理構造（構造や材質など）によって変化するが、ここでは、イヤーパッド１５を装着した状態では、ユーザＵ１は周囲環境から発せられる音（ここでは、周囲雑音と呼ぶ）をほとんど聴取できなくなるものとする。あるいは、信号処理によるノイズキャンセラを搭載している場合などには、イヤーパッド１５装着状態における周囲雑音の聞こえ方は、イヤーパッド１５本体の物理構造だけでなく当該ノイズキャンセラの機能にも依存する。いずれにしても、イヤーパッド１５装着状態では、ユーザＵ１は周囲雑音をほとんど聴取できないものとする。
【００２８】
前記マイク２１は、前記周囲雑音を集音して周囲雑音に応じた雑音信号ｎを出力するものである。
【００２９】
増幅減衰回路２２は、前記コントロール信号ｖと雑音信号ｎの入力を受け、加工雑音信号ｖｎを出力する回路である。コントロール信号ｖは増幅度を制御するための制御信号として利用される。すなわち、コントロール信号ｖが前記通話状態を示しているときには、前記雑音信号ｎをほとんど聞こえなくなるレベルまで増幅・減衰させたもの（例えば、１２ｄＢ減衰させたもの）を加工雑音信号ｖｎとし、前記非通話状態を示しているときには、ユーザＵ１がヘッドホン１２を装着していない状態と同じ程度に周囲雑音が聞こえるレベルまで増幅・減衰させたものを加工雑音信号ｖｎとする。
【００３０】
ミキシング回路２３は、加工雑音信号ｖｎと前記定位音声信号ｓ１の入力を受けてこれらをミキシングし、ミキシング結果を受聴信号ｓｐ１として出力する回路である。当該受聴信号ｓｐ１はスピーカ２０に供給される。
【００３１】
スピーカ２０は、当該受聴信号ｓｐ１に応じた受聴音を出力する。この受聴音はユーザＵ１の左耳で聴取される。
【００３２】
以下、上記のような構成を有する本実施形態の動作について説明する。
【００３３】
（Ａ−２）第１の実施形態の動作
ユーザＵ１は携帯電話機１１で通話するときだけヘッドホン１２をその頭部に装着するものであってもよいが、本実施形態では、基本的に常時、装着しているものとする。したがって、例えば、通話することなく移動している最中（例えば、歩行中など）でも、ユーザＵ１はヘッドホン１２を装着している。移動中にヘッドホン１２を頭部から外した場合、新たにヘッドホン１２の収納場所が必要になるため、頭部に装着したままでいることは利便性の向上に寄与する。
【００３４】
ただし、ユーザＵ１が周囲の状況を確認しながら移動を行うためには、ヘッドホン１２を装着していても装着していない場合と同程度に、周囲環境が発する周囲雑音を聴取できることが重要になる。
【００３５】
ユーザＵ１がいずれの通話相手とも通話を行っていないとき、コントロール信号ｖは、前記非通話状態を示す“０”を維持するため、イヤーパッド１４，１５内の増幅減衰回路２２は、ユーザＵ１がヘッドホン１２を装着していない状態と同じ程度に周囲雑音が聞こえるレベルまで増幅・減衰させたものを加工雑音信号ｖｎとする。
【００３６】
また、このとき前記定位音声信号ｓ１，ｓ２としては有効な信号は供給されていないため、ミキシング回路２３によるミキシング結果は、当該加工雑音信号ｖｎだけからなり、当該加工雑音信号ｖｎが前記受聴信号ｓｐ１として出力される。したがって、ユーザＵ１の左耳には、イヤーパッド１５内の各構成要素２０〜２３の動作により、左耳側の周囲雑音が受聴音として聴取されることになる。このとき同時に、ユーザＵ１の右耳には、イヤーパッド１４内の各構成要素２０〜２３の動作により、右耳側の周囲雑音が受聴音として聴取される。
【００３７】
結局、ユーザＵ１は、ヘッドホン１２を装着していない場合とほぼ同等に、左右の耳で周囲雑音を聴取することができるので、ヘッドホン１２を装着していることは移動の妨げにはならない。
【００３８】
一方、携帯電話機１１と通話相手の端末とのあいだに呼が設定されている通話状態における動作は次の通りである。
【００３９】
通話状態では前記コントロール信号ｖは通話状態を示す“１”であるため、イヤーパッド１４，１５内では、前記雑音信号ｎをほとんど聞こえなくなるレベルまで増幅・減衰させるため、ミキシング回路２３によるミキシング結果は、ほとんど加工雑音信号ｖｎを含まない。
【００４０】
通話状態のうちユーザＵ１の通話相手が発話している状態では、有効な前記定位音声信号ｓ１，ｓ２が供給されるため、ミキシング結果は、主としてこれら定位音声信号ｓ１，ｓ２からなり、ユーザＵ１は、（周囲雑音が大きい場合でも）周囲雑音に妨げられることなく通話相手の発話した内容を聴取することができ、高い音質を実現することが可能である。
【００４１】
このときユーザＵ１が聴取するのは、定位処理がなされた定位音声信号ｓ１，ｓ２に応じた受聴音であるため、通話相手があたかも、ユーザＵ１の前方１メートルの位置に立っているかのような臨場感のある通話を行うことができる。
【００４２】
また、通話状態のうちユーザＵ１が発話し、通話相手が発話していない状態では、有効な定位音声信号ｓ１，ｓ２が得られないので、ユーザＵ１は、前記ミキシング結果に応じてわずかな周囲雑音だけを聴取しながら発話することになる。この場合も、あまり大きな周囲雑音が聴取されると発話の妨げになる可能性もあるため、周囲雑音のレベルを減衰しておくことによって通話の品質を高めることができる。
【００４３】
（Ａ−３）第１の実施形態の効果
本実施形態によれば、通話状態では周囲雑音が軽減されるため通話の品質を高め、音質の高さを安定的に維持することができる。
【００４４】
また、本実施形態では、ヘッドホン（１２）を頭部に装着したままでも通話状態でなければユーザ（Ｕ１）は周囲雑音を聴取することができるため、利便性を高めることができる。
【００４５】
しかも本実施形態では、既存の携帯電話機をほとんどそのまま活用して通話システム（１０）を構築することができるため、実現性に優れている。
【００４６】
（Ｂ）第２の実施形態
以下では、本実施形態が第１の実施形態と相違する点についてのみ説明する。
【００４７】
本実施形態が第１の実施形態と相違するのは、非通話状態にあるとき、ユーザＵ１に音楽を聴取させるためのシリコンオーディオ回路を設けたことに関連する点に限られる。
【００４８】
（Ｂ−１）第２の実施形態の構成および動作
本実施形態の携帯電話機５０の内部構成例を図４に示す。
【００４９】
図４において、当該携帯電話機５０は、携帯電話回路４０と、立体音響回路４１と、マイク４２と、切替回路４３と、シリコンオーディオ回路４４とを備えている。
【００５０】
このうち携帯電話回路４０は前記携帯電話回路３０に対応し、立体音響回路４１は前記立体音響回路３１に対応し、マイク４２は前記マイク３２に対応するので、その詳しい説明は省略する。
【００５１】
前記切替回路４３には、前記立体音響回路４１から出力される定位音声信号ｓ１，ｓ２と、前記シリコンオーディオ回路４４から出力されるステレオのオーディオ信号ｓｓｒ、ｓｓｌとが入力されるとともに、切替制御信号として前記コントロール信号ｖが入力される。
【００５２】
シリコンオーディオ回路４４は半導体メモリなどを用いたオーディオ機器で、予め半導体メモリ内に記憶した情報に応じて、音楽などを再生、出力することができる。したがって、オーディオ信号ｓｓｒ、ｓｓｌはこの音楽などに対応した内容の信号となる。
【００５３】
シリコンオーディオ回路４４は、小さなサイズで構成することができるため、携帯電話機５０の内部に搭載することが容易であるが、必要に応じて、携帯電話機５０と別個に構成し、ユーザＵ１が携帯電話機５０に装着して使用するものであってもよい。また、シリコンオーディオ回路４４の代わりに、ＣＤプレーヤなどを用いてもかまわない。ＣＤプレーヤなどの場合、外部から携帯電話機５０に接続して、携帯電話機５０内の切替回路４３にオーディオ信号ｓｓｒ、ｓｓｌを供給する構成とするものであってよい。
【００５４】
前記切替回路４３は、コントロール信号ｖの値に応じて、定位音声信号ｓ１およびｓ２か、オーディオ信号ｓｓｌおよびｓｓｒのいずれかを選択し、選択した信号を選択信号ｓｌ、ｓｒとして前記イヤーパッド１５，１４内のミキシング回路２３に供給する回路である。
【００５５】
左耳用のイヤーパッド１５内のミキシング回路２３にとって、当該選択信号ｓｌは、第１の実施形態における定位音声信号ｓ１の代わりであり、右耳用のイヤーパッド１４内のミキシング回路２３にとって、当該選択信号ｓｒは、第１の実施形態における定位音声信号ｓ２の代わりである。
【００５６】
したがって、本実施形態の場合、ユーザＵ１は、通話相手が発話している通話状態では定位音声信号ｓ１，ｓ２に対応する通話相手の発話した音声などを聴取し、非通話状態ではオーディオ信号ｓｓｌおよびｓｓｒに対応する音楽と雑音信号ｎｖに対応する周囲雑音のミキシング結果を聴取することになる。
【００５７】
なお、非通話状態において、当該ミキシング結果を聴取するか、周囲雑音のみを聴取するか、オーディオ信号ｓｓｌおよびｓｓｒに対応する音楽のみを聴取するかを、ユーザＵ１が例えば切替スイッチなどを操作することにより明示的に指定できるようにしてもよいことは当然である。
【００５８】
（Ｂ−２）第２の実施形態の効果
本実施形態によれば、第１の実施形態の効果と同等な効果を得ることができる。
【００５９】
加えて、本実施形態では、非通話状態で、自動的にオーディオ信号（ｓｓｌ、ｓｓｒ）に対応する音楽などを聴取することができるため、より快適に利用することが可能で、利便性が高まる。
【００６０】
（Ｃ）他の実施形態
上記第１、第２の実施形態にかかわらず、前記立体音響回路３１，４１や切替回路４３などは、イヤーパッド１４、１５などヘッドホン１２側に配置するようにしてもよい。これにより、携帯電話機１１、５０に搭載する必要のある機能が減少し、実現性がいっそう高まる。
【００６１】
さらに、上記第１および第２の実施形態では、携帯電話機１１，５０のマイク３２，４２は、ユーザＵ１の口の近傍で用い、イヤーパッド１５，１４はユーザＵ１の左右の耳の近傍で用いたが、口や耳を人体の他の器官で置換できる可能性もある。例えば、医療技術によって、いわゆる耳以外の器官が聴取器官となる可能性もあるからである。
【００６２】
なお、上記第１および第２の実施形態で用いた携帯電話機１１，５０は他の通信装置に置換できる可能性がある。その通信装置は、必ずしも、ユーザが携帯して移動するタイプの通信装置でなくてもかまわない。
【００６３】
また、上記第１および第２の実施形態では、ユーザＵ１の周囲環境から発せられた周囲雑音はユーザＵ１が聴取する受聴音にのみ反映されたが、この周囲雑音を通話相手側へ送信し、通話相手とユーザＵ１がほぼ同等な雑音環境のなかで通話を行うことができるようにすることも望ましい。
【００６４】
以上の説明では主としてハードウエア的に本発明を実現したが、本発明はソフトウエア的に実現することも可能である。
【図面の簡単な説明】
【００６５】
【図１】第１および第２の実施形態で使用するイヤーパッドの内部構成例を示す概略図である。
【図２】第１の実施形態で使用する携帯電話機の内部構成例を示す概略図である。
【図３】第１および第２の実施形態にかかる通話システムの全体構成例を示す概略図である。
【図４】第２の実施形態で使用する携帯電話機の内部構成例を示す概略図である。
【図５】第１および第２の実施形態で使用する立体音響回路の内部構成例を示す概略図である。
【符号の説明】
【００６６】
１０…通話システム、１１、５０…携帯電話機、１２…ヘッドホン、１３…連結部材、１４，１５…イヤーパッド、２０…スピーカ、２１，３２…マイク、２２…増幅減衰回路、２３…ミキシング回路、３０、４０…携帯電話回路、３１、４１…立体音響回路、４２…切替回路、４３…シリコンオーディオ回路、ｍ、ｓｍ…音声信号、ｓ１，ｓ２…定位音声信号、ｖ…コントロール信号、ｎ…雑音信号、ｖｎ…加工雑音信号、ｓｐ１…受聴信号。
【図１】
2006129377.tif 000003
【図２】
2006129377.tif 000004
【図３】
2006129377.tif 000005
【図４】
2006129377.tif 000006
【図５】
2006129377.tif 000007